(57)【要約】【課題】    本発明の目的は、使用済みのランドセルのかぶせを小さく加工することなく、かぶせの素材の有効活用を図った折りたたみ椅子を提供するものである。【解決手段】    折りたたみ椅子Ｃは、交差部を軸で回転可能に支持されたＸ字状の一対の脚部１、２と、交差部から先端までのまでの間に設けた横軸３で結合し、横軸３に掛け渡した座面５を有する折りたたみ椅子Ｃであって、座面５は、使用済みのランドセルのかぶせである。【選択図】図１
2020099575.tif 000002
【特許請求の範囲】
【請求項１】
交差部を軸で回転可能に支持されたＸ字状の一対の脚部と、交差部から先端までのまでの間に設けた横軸で結合し、前記横軸に掛け渡した座面を有する折りたたみ椅子であって、
座面は、使用済みのランドセルのかぶせである
ことを特徴とする折りたたみ椅子。
【請求項２】
交差部を軸で回転可能に支持されたＸ字状の一対の脚部と、交差部から先端までのまでの間に設けた横軸で結合し、前記横軸に掛け渡した座面を有する折りたたみ椅子であって、
前記Ｘ字状の一対の脚部は、Ｘ字状の第１の脚部とＸ字状の第２の脚部とを有し、
前記Ｘ字状の第１の脚部は、第１の脚と第１’の脚であり、
前記Ｘ字状の第２の脚部は、第２の脚と第２’の脚であり、
前記横軸は、第１の横軸と第２の横軸であり、
前記第１の横軸は、前記第１の脚と前記第２の脚に接続され、
前記第２の横軸は、前記第１’の脚と前記第２’の脚に接続され、
前記第１の横軸に対向して第１の補強部材が設けられ、
前記第２の横軸に対向して第２の補強部材が設けられ、
前記座面の一方は、前記第１の横軸と前記第１の補強部材で挟持され、
前記座面の他方は、前記第２の横軸と前記第２の補強部材で挟持され、
前記座面は、使用済みのランドセルのかぶせである
ことを特徴とする折りたたみ椅子。
【請求項３】
交差部を軸で回転可能に支持されたＸ字状の一対の脚部と、交差部から先端までのまでの間に設けた横軸で結合し、前記横軸に掛け渡した座面を有する折りたたみ椅子であって、
前記Ｘ字状の一対の脚部は、Ｘ字状の第１の脚部とＸ字状の第２の脚部とを有し、
前記Ｘ字状の第１の脚部は、第１の脚と第１’の脚であり、
前記Ｘ字状の第２の脚部は、第２の脚と第２’の脚であり、
前記横軸は、第１の横軸と第２の横軸であり、
前記第１の横軸は、前記第１の脚と前記第２の脚に接続され、
前記第２の横軸は、前記第１’の脚と前記第２’の脚に接続され、
前記第１の横軸に対向して第１の補強部材が設けられ、
前記第２の横軸に対向して第２の補強部材が設けられ、
前記座面の一方は、前記第１の横軸を覆うように折り返され、前記第１の横軸と前記第１の補強部材で挟持され、
前記座面の他方は、前記第２の横軸を覆うように折り返され、前記第２の横軸と前記第２の補強部材で挟持され、
前記座面は、使用済みのランドセルのかぶせである
ことを特徴とする折りたたみ椅子。
【請求項４】
座面は、ランドセルのかぶせと、このランドセルのかぶせの裏面に設けられた座面補強部材を有し、
前記座面補強部材は、前記ランドセルのかぶせより伸縮性が小さい
ことを特徴とする請求項１〜３のいずれかに記載の折りたたみ椅子。
【請求項５】
使用済みのランドセルのかぶせの端部にはステッチが形成され、
前記かぶせの端部の長手方向が横軸に直交する
ことを特徴とする請求項１〜３のいずれかに記載の折りたたみ椅子。
【発明の詳細な説明】
【技術分野】
【０００１】
本発明は、折りたたみ椅子に係り、特に、使用済みのランドセルのかぶせを小さく加工することなく、かぶせの素材の有効活用を図った折りたたみ椅子に関する。
【背景技術】
【０００２】
従来、小学校を卒業した後のランドセルは、例えば、加工して原型の１／６の大きさに縮小して小型のランドセル、小型バッグ等に再製されている（特許文献参照）。
【先行技術文献】
【特許文献】
【０００３】
【特許文献１】実開平４−４５４１５号公報
【発明の概要】
【発明が解決しようとする課題】
【０００４】
ところが、上記の再製にあっては、使用済みのランドセルを利用するものの、原型の１／６の大きさに縮小するため、使用済みのランドセルを切断等加工、特に、革を使用したランドセルのかぶせを切断しなければならず、かぶせの素材そのものを生かし切れていないという問題点が生じた。
【０００５】
本発明は、上記問題点を考慮してなされた折りたたみ椅子を提供することを目的とする。
【課題を解決するための手段】
【０００６】
請求項１記載の折りたたみ椅子は、交差部を軸で回転可能に支持されたＸ字状の一対の脚部と、交差部から先端までのまでの間に設けた横軸で結合し、前記横軸に掛け渡した座面を有する折りたたみ椅子であって、座面は、使用済みのランドセルのかぶせである。
【０００７】
また、請求項２記載の折りたたみ椅子は、交差部を軸で回転可能に支持されたＸ字状の一対の脚部と、交差部から先端までのまでの間に設けた横軸で結合し、前記横軸に掛け渡した座面を有する折りたたみ椅子であって、前記Ｘ字状の一対の脚部は、Ｘ字状の第１の脚部とＸ字状の第２の脚部とを有し、前記Ｘ字状の第１の脚部は、第１の脚と第１’の脚であり、前記Ｘ字状の第２の脚部は、第２の脚と第２’の脚であり、前記横軸は、第１の横軸と第２の横軸であり、前記第１の横軸は、前記第１の脚と前記第２の脚に接続され、前記第２の横軸は、前記第１’の脚と前記第２’の脚に接続され、前記第１の横軸に対向して第１の補強部材が設けられ、前記第２の横軸に対向して第２の補強部材が設けられ、前記座面の一方は、前記第１の横軸と前記第１の補強部材で挟持され、前記座面の他方は、前記第２の横軸と前記第２の補強部材で挟持され、前記座面は、使用済みのランドセルのかぶせである。
【０００８】
また、請求項３記載の折りたたみ椅子は、交差部を軸で回転可能に支持されたＸ字状の一対の脚部と、交差部から先端までのまでの間に設けた横軸で結合し、前記横軸に掛け渡した座面を有する折りたたみ椅子であって、前記Ｘ字状の一対の脚部は、Ｘ字状の第１の脚部とＸ字状の第２の脚部とを有し、前記Ｘ字状の第１の脚部は、第１の脚と第１’の脚であり、前記Ｘ字状の第２の脚部は、第２の脚と第２’の脚であり、前記横軸は、第１の横軸と第２の横軸であり、前記第１の横軸は、前記第１の脚と前記第２の脚に接続され、前記第２の横軸は、前記第１’の脚と前記第２’の脚に接続され、前記第１の横軸に対向して第１の補強部材が設けられ、前記第２の横軸に対向して第２の補強部材が設けられ、前記座面の一方は、前記第１の横軸を覆うように折り返され、前記第１の横軸と前記第１の補強部材で挟持され、前記座面の他方は、前記第２の横軸を覆うように折り返され、前記第２の横軸と前記第２の補強部材で挟持され、前記座面は、使用済みのランドセルのかぶせである。
【０００９】
また、請求項４記載の折りたたみ椅子は、請求項１〜３のいずれかに記載の折りたたみ椅子において、座面は、ランドセルのかぶせと、このランドセルのかぶせの裏面に設けられた座面補強部材を有し、前記座面補強部材は、前記ランドセルのかぶせより伸縮性が小さいものである。
【００１０】
また、請求項５記載の折りたたみ椅子は、請求項１〜３のいずれかに記載の折りたたみ椅子において、使用済みのランドセルのかぶせの端部にはステッチが形成され、
前記かぶせの端部の長手方向が横軸に直交するものである。
【発明の効果】
【００１１】
請求項１記載の折りたたみ椅子によれば、座面は、使用済みのランドセルから分離したかぶせを切断することなく、かぶせそのものを使用するため、ランドセルの思い入れを再利用する形で保持することができ、しかも、従来のようにかぶせを小さく切断する加工が必要でなく、加えて、使用済みのランドセルのかぶせには、ぜいたくな革が使用されているため、使用済みのランドセルのかぶせの革の素材を生かした高級感の折りたたみ椅子を得ることができる。
【００１２】
また、請求項２記載の折りたたみ椅子によれば、座面は、使用済みのランドセルから分離したかぶせを切断することなく、かぶせそのものを使用するため、ランドセルの思い入れを再利用する形で保持することができ、しかも、従来のようにかぶせを小さく切断する加工が必要でなく、加えて、使用済みのランドセルのかぶせには、ぜいたくな革が使用されているため、使用済みのランドセルのかぶせの革の素材を生かした高級感の折りたたみ椅子を得ることができ、更に、座面の一方は、第１の横軸と第１の補強部材で挟持され、座面の他方は、第２の横軸と第２の補強部材で挟持されるため、保持力を強固に保つことができる。
【００１３】
また、請求項３記載の折りたたみ椅子によれば、座面は、使用済みのランドセルから分離したかぶせを切断することなく、かぶせそのものを使用するため、ランドセルの思い入れを再利用する形で保持することができ、しかも、従来のようにかぶせを小さく切断する加工が必要でなく、加えて、使用済みのランドセルのかぶせには、ぜいたくな革が使用されているため、使用済みのランドセルのかぶせの革の素材を生かした高級感の折りたたみ椅子を得ることができ、更に、座面の一方は、第１の横軸を覆うように折り返され、第１の横軸と第１の補強部材で挟持され、座面の他方は、第２の横軸を覆うように折り返され、第２の横軸と第２の補強部材で挟持されるため、保持力を強固に保つことができる。
【００１４】
また、請求項４記載の折りたたみ椅子によれば、上述した請求項１〜３のいずれかに記載の発明の効果に加え、座面は、ランドセルのかぶせと、このランドセルのかぶせの裏面に設けられた座面補強部材を有し、前記座面補強部材は、前記ランドセルのかぶせより伸縮性が小さいため、座面に体重による荷重がかかった場合の座面のたるみを防止することができる。
【００１５】
また、請求項５記載の折りたたみ椅子によれば、上述した請求項１〜３のいずれかに記載の発明の効果に加え、使用済みのランドセルのかぶせの端部にはステッチが形成され、前記かぶせの端部の長手方向が横軸に直交するため、使用済みのランドセルのかぶせの革の素材を生かした高級感の折りたたみ椅子を得ることができる。
【図面の簡単な説明】
【００１６】
【図１】図１は、本願発明の一実施例の折りたたみ椅子の脚部を開いた状態の概略的正面図である。
【図２】図２は、図１の概略的右側面図である。
【図３】図３は、図１の一部を拡大して示す概略的一部拡大正面図である。
【図４】図４は、図２の一部を拡大して示す概略的一部拡大右側面図である。
【図５】図５は、使用済みのランドセルからかぶせを分離する状態を示す写真である。
【図６】図６は、使用済みのランドセルからかぶせを分離する状態の中途を示す写真である。
【図７】図７は、図６の状態から分離終盤の状態を示す写真である。
【図８】図８は、使用済みのランドセルからかぶせを分離した状態を示す写真である。
【図９】図９及び図１０は、図１の折りたたみ椅子と異なる他の実施例を示すもので、図９は、図３に対応する概略的一部拡大正面図である。
【図１０】図１０は、図４に対応する概略的一部拡大右側面図である。
【図１１】図１１及び図１２は、図１の折りたたみ椅子と異なる他の実施例を示すもので、図１１は、図３に対応する概略的一部拡大正面図である。
【図１２】図１２は、図４に対応する概略的一部拡大右側面図である。
【図１３】図１３及び図１４は、図１の折りたたみ椅子と異なる他の実施例を示すもので、図１３は、図３に対応する概略的一部拡大正面図である。
【図１４】図１４は、図４に対応する概略的一部拡大右側面図である。
【図１５】図１５及び図１６は、図１の折りたたみ椅子と異なる他の実施例を示すもので、図１５は、図３に対応する概略的一部拡大正面図である。
【図１６】図１６は、図４に対応する概略的一部拡大右側面図である。
【図１７】図１５及び図１６は、図１の折りたたみ椅子と異なる他の実施例を示すもので、図１７は、図３に対応する概略的一部拡大正面図である。
【図１８】図１８は、図４に対応する概略的一部拡大右側面図である。
【図１９】図１９及び図２０は、図１の折りたたみ椅子と異なる他の実施例を示すもので、図１９は、図３に対応する概略的一部拡大正面図である。
【図２０】図２０は、図４に対応する概略的一部拡大右側面図である。
【図２１】図１９及び図２０は、図１の折りたたみ椅子と異なる他の実施例を示すもので、図２１は、図３に対応する概略的一部拡大正面図である。
【図２２】図２２は、図４に対応する概略的一部拡大右側面図である。
【図２３】図２３及び図２４は、図１の折りたたみ椅子と異なる他の実施例を示すもので、図２３は、図３に対応する概略的一部拡大正面図である。
【図２４】図２４は、図４に対応する概略的一部拡大右側面図である。
【図２５】図２３及び図２４は、図１の折りたたみ椅子と異なる他の実施例を示すもので、図２５は、図３に対応する概略的一部拡大正面図である。
【図２６】図２６は、図４に対応する概略的一部拡大右側面図である。
【図２７】図２７及び図２８は、図１の折りたたみ椅子と異なる他の実施例を示すもので、図２７は、図３に対応する概略的一部拡大正面図である。
【図２８】図２８は、図４に対応する概略的一部拡大右側面図である。
【図２９】図２９及び図３０は、図１の折りたたみ椅子と異なる他の実施例を示すもので、図２９は、図３に対応する概略的一部拡大正面図である。
【図３０】図３０は、図４に対応する概略的一部拡大右側面図である。
【図３１】図３１及び図３２は、図１の折りたたみ椅子と異なる他の実施例を示すもので、図３１は、図３に対応する概略的一部拡大正面図である。
【図３２】図３２は、図４に対応する概略的一部拡大右側面図である。
【図３３】図３３及び図３４は、図１の折りたたみ椅子と異なる他の実施例を示すもので、図３３は、図３に対応する概略的一部拡大正面図である。
【図３４】図３４は、図４に対応する概略的一部拡大右側面図である。
【図３５】図３５及び図３６は、図１の折りたたみ椅子と異なる他の実施例を示すもので、図３５は、図３に対応する概略的一部拡大正面図である。
【図３６】図３６は、図４に対応する概略的一部拡大右側面図である。
【図３７】図３７及び図３８は、図１の折りたたみ椅子と異なる他の実施例を示すもので、図３７は、図３に対応する概略的一部拡大正面図である。
【図３８】図３８は、図４に対応する概略的一部拡大右側面図である。
【図３９】図３９及び図４０は、図１の折りたたみ椅子と異なる他の実施例を示すもので、図３９は、図３に対応する概略的一部拡大正面図である。
【図４０】図４０は、図４に対応する概略的一部拡大右側面図である。
【図４１】図４１及び図４２は、図１の折りたたみ椅子と異なる他の実施例を示すもので、図４１は、図３に対応する概略的一部拡大正面図である。
【図４２】図４２は、図４に対応する概略的一部拡大右側面図である。
【図４３】図４３及び図４４は、図１の折りたたみ椅子と異なる他の実施例を示すもので、図４３は、図３に対応する概略的一部拡大正面図である。
【図４４】図４４は、図４に対応する概略的一部拡大右側面図である。
【図４５】図４５及び図４６は、図１の折りたたみ椅子と異なる他の実施例を示すもので、図４５は、図３に対応する概略的一部拡大正面図である。
【図４６】図４６は、図４に対応する概略的一部拡大右側面図である。
【図４７】図４７及び図４８は、図１の折りたたみ椅子と異なる他の実施例を示すもので、図４７は、図３に対応する概略的一部拡大正面図である。
【図４８】図４８は、図４に対応する概略的一部拡大右側面図である。
【図４９】図４９及び図５０は、図１の折りたたみ椅子と異なる他の実施例を示すもので、図４９は、図３に対応する概略的一部拡大正面図である。
【図５０】図５０は、図４に対応する概略的一部拡大右側面図である。
【図５１】図５１及び図５２は、図１の折りたたみ椅子と異なる他の実施例を示すもので、図５１は、図３に対応する概略的一部拡大正面図である。
【図５２】図５２は、図４に対応する概略的一部拡大右側面図である。
【図５３】図５３及び図５４は、図１の折りたたみ椅子と異なる他の実施例を示すもので、図５３は、図３に対応する概略的一部拡大正面図である。
【図５４】図５４は、図４に対応する概略的一部拡大右側面図である。
【図５５】図５５及び図５６は、図１の折りたたみ椅子と異なる他の実施例を示すもので、図５５は、図３に対応する概略的一部拡大正面図である。
【図５６】図５６は、図４に対応する概略的一部拡大右側面図である。
【図５７】図５７及び図５８は、図１の折りたたみ椅子と異なる他の実施例を示すもので、図５７は、図３に対応する概略的一部拡大正面図である。
【図５８】図５８は、図４に対応する概略的一部拡大右側面図である。
【図５９】図５９及び図６０は、図１の折りたたみ椅子と異なる他の実施例を示すもので、図５９は、図３に対応する概略的一部拡大正面図である。
【図６０】図６０は、図４に対応する概略的一部拡大右側面図である。
【図６１】図６１は、本願発明の他の実施例の折りたたみ椅子の脚部を開いた状態を撮影した写真である。
【図６２】図６２は、図６１の座面の一端が第１の横軸と第１の裏面側部材で挟持された状態を示す写真である。
【図６３】図６３は、図６１の座面の他端が第２の横軸と第２の裏面側部材で挟持された状態を示す写真である。
【図６４】図６４は、図６１の折りたたみ椅子の脚部を閉じた状態を撮影した写真である。
【図６５】図６５は、図６１の第１、 第２のネジの部位で切断した概略的断面図である。
【図６６】図６６は、図６１の第１、 第２のネジの部位を避けて切断した概略的断面図である。
【図６７】図６７及び図６８は、図１の折りたたみ椅子と異なる他の実施例を示すもので、図６７は、図３に対応する概略的一部拡大正面図である。
【図６８】図６８は、図４に対応する概略的一部拡大右側面図である。
【図６９】図６９及び図７０は、図１の折りたたみ椅子と異なる他の実施例を示すもので、図６９は、図３に対応する概略的一部拡大正面図である。
【図７０】図７０は、図４に対応する概略的一部拡大右側面図である。
【図７１】図７１及び図７２は、図１の折りたたみ椅子と異なる他の実施例を示すもので、図７１は、図３に対応する概略的一部拡大正面図である。
【図７２】図７２は、図４に対応する概略的一部拡大右側面図である。
【図７３】図７３及び図７４は、図１の折りたたみ椅子と異なる他の実施例を示すもので、図７３は、図３に対応する概略的一部拡大正面図である。
【図７４】図７４は、図４に対応する概略的一部拡大右側面図である。
【図７５】図７５及び図７６は、図１の折りたたみ椅子と異なる他の実施例を示すもので、図７５は、図３に対応する概略的一部拡大正面図である。
【図７６】図７６は、図４に対応する概略的一部拡大右側面図である。
【図７７】図７５及び図７６は、図１の折りたたみ椅子と異なる他の実施例を示すもので、図７７は、図３に対応する概略的一部拡大正面図である。
【図７８】図７８は、図４に対応する概略的一部拡大右側面図である。
【図７９】図７９及び図８０は、図１の折りたたみ椅子と異なる他の実施例を示すもので、図７９は、図３に対応する概略的一部拡大正面図である。
【図８０】図８０は、図４に対応する概略的一部拡大右側面図である。
【図８１】図８１及び図８２は、図１の折りたたみ椅子と異なる他の実施例を示すもので、図８１は、図３に対応する概略的一部拡大正面図である。
【図８２】図８２は、図４に対応する概略的一部拡大右側面図である。
【図８３】図８３及び図８４は、図１の折りたたみ椅子と異なる他の実施例を示すもので、図８３は、図３に対応する概略的一部拡大正面図である。
【図８４】図８４は、図４に対応する概略的一部拡大右側面図である。
【図８５】図８５及び図８６は、図１の折りたたみ椅子と異なる他の実施例を示すもので、図８５は、図３に対応する概略的一部拡大正面図である。
【図８６】図８６は、図４に対応する概略的一部拡大右側面図である。
【図８７】図８７及び図８８は、図１の折りたたみ椅子と異なる他の実施例を示すもので、図８７は、図３に対応する概略的一部拡大正面図である。
【図８８】図８８は、図４に対応する概略的一部拡大右側面図である。
【図８９】図８９及び図９０は、図１の折りたたみ椅子と異なる他の実施例を示すもので、図８９は、図３に対応する概略的一部拡大正面図である。
【図９０】図９０は、図４に対応する概略的一部拡大右側面図である。
【図９１】図９１及び図９２は、図１の折りたたみ椅子と異なる他の実施例を示すもので、図９１は、図３に対応する概略的一部拡大正面図である。
【図９２】図９２は、図４に対応する概略的一部拡大右側面図である。
【図９３】図９３及び図９４は、図１の折りたたみ椅子と異なる他の実施例を示すもので、図９３は、図３に対応する概略的一部拡大正面図である。
【図９４】図９４は、図４に対応する概略的一部拡大右側面図である。
【図９５】図９５及び図９６は、図１の折りたたみ椅子と異なる他の実施例を示すもので、図９５は、図３に対応する概略的一部拡大正面図である。
【図９６】図９６は、図４に対応する概略的一部拡大右側面図である。
【図９７】図９７及び図９８は、図１の折りたたみ椅子と異なる他の実施例を示すもので、図９７は、図３に対応する概略的一部拡大正面図である。
【図９８】図９８は、図４に対応する概略的一部拡大右側面図である。
【図９９】図９９及び図１００は、図１の折りたたみ椅子と異なる他の実施例を示すもので、図９９は、図３に対応する概略的一部拡大正面図である。
【図１００】図１００は、図４に対応する概略的一部拡大右側面図である。
【図１０１】図１０１及び図１０２は、図１の折りたたみ椅子と異なる他の実施例を示すもので、図１０１は、図３に対応する概略的一部拡大正面図である。
【図１０２】図１０２は、図４に対応する概略的一部拡大右側面図である
【図１０３】図１０３及び図１０４は、図１の折りたたみ椅子と異なる他の実施例を示すもので、図１０３は、図３に対応する概略的一部拡大正面図である。
【図１０４】図１０４は、図４に対応する概略的一部拡大右側面図である。
【図１０５】図１０５及び図１０６は、図１の折りたたみ椅子と異なる他の実施例を示すもので、図１０５は、図３に対応する概略的一部拡大正面図である。
【図１０６】図１０６は、図４に対応する概略的一部拡大右側面図である。
【図１０７】図１０７及び図１０８は、図１の折りたたみ椅子と異なる他の実施例を示すもので、図１０７は、図３に対応する概略的一部拡大正面図である。
【図１０８】図１０８は、図４に対応する概略的一部拡大右側面図である。
【図１０９】図１０９及び図１１０は、図１の折りたたみ椅子と異なる他の実施例を示すもので、図１０７は、図３に対応する概略的一部拡大正面図である。
【図１１０】図１１０は、図４に対応する概略的一部拡大右側面図である。
【図１１１】図１１１及び図１１２は、図１の折りたたみ椅子と異なる他の実施例を示すもので、図１１１は、図３に対応する概略的一部拡大正面図である。
【図１１２】図１１２は、図４に対応する概略的一部拡大右側面図である。
【図１１３】図１１３及び図１１４は、図１の折りたたみ椅子と異なる他の実施例を示すもので、図１１３は、図３に対応する概略的一部拡大正面図である。
【図１１４】図１１４は、図４に対応する概略的一部拡大右側面図である。
【図１１５】図１１５及び図１１６は、図１の折りたたみ椅子と異なる他の実施例を示すもので、図１１５は、図３に対応する概略的一部拡大正面図である。
【図１１６】図１１６は、図４に対応する概略的一部拡大右側面図である。
【図１１７】図１１７及び図１１８は、図１の折りたたみ椅子と異なる他の実施例を示すもので、図１１７は、図３に対応する概略的一部拡大正面図である。
【図１１８】図１１８は、図４に対応する概略的一部拡大右側面図である。
【図１１９】図１１９及び図１２０は、図１の折りたたみ椅子と異なる他の実施例を示すもので、図１１５は、図３に対応する概略的一部拡大正面図である。
【図１２０】図１２０は、図４に対応する概略的一部拡大右側面図である。
【図１２１】図１２１及び図１２２は、図１の折りたたみ椅子と異なる他の実施例を示すもので、図１１５は、図３に対応する概略的一部拡大正面図である。
【図１２２】図１２２は、図４に対応する概略的一部拡大右側面図である。
【図１２３】図１２３は、図１の折りたたみ椅子と異なる他の実施例の第１、 第２のネジの部位で切断した概略的断面図である。
【図１２４】図１２４は、図１の折りたたみ椅子と異なる他の実施例の第１、 第２のネジの部位を避けて切断した概略的断面図である。
【図１２５】図１２５は、図６５及び図６６の他の実施例で、第１の横軸（第２の横軸）に設けた突起と、第１の補強部材（第２の補強部材）に突起を受ける凹部を示した概略的断面図である。
【発明を実施するための形態】
【００１７】
本発明の一実施例の折りたたみ椅子を図面（図１乃至図４）を参照して説明する。
図１に示すＣは折りたたみ椅子で、折りたたみ椅子Ｃは、例えば、木製で、交差部Ｘ、Ｙを軸で回転可能に支持されたＸ字状の一対の脚部１、２と、交差部Ｘ、Ｙ（交差部Ｘ、Ｙで軸着する。 軸着は、軸によって回転可能に支持する意である。）から先端までのまでの間に設けた横軸３で結合し、折りたたみ椅子Ｃは、横軸３に掛け渡した座面５を有する。
【００１８】
即ち、Ｘ字状の一対の脚部１、２は、Ｘ字状の第１の脚部１とＸ字状の第２の脚部２とを有し、Ｘ字状の第１の脚部１は、第１の脚１１と第１’の脚１１’であり、Ｘ字状の第２の脚部２は、第２の脚２１と第２’の脚２１’である。
また、横軸３は、第１の横軸３１と第２の横軸３２であり、第１の横軸３１は、第１の脚１１と第２の脚２１に接続され、第２の横軸３２は、第１’の脚１１’と第２’の脚２１’に接続され、また、横軸３の下方には、下方横軸４が設けられ、下方横軸４は、第１の下方横軸４１と第２の下方横軸４２であり、第１の下方横軸４１は、第１の脚１１と第２の脚２１に接続され、第２の下方横軸４２は、第１’の脚１１’と第２’の脚２１’に接続されている。
【００１９】
座面５は、例えば、使用済みのラかンドセルのぶせ（冠）［冠は、ランドセルの収納部を被せる蓋の部分である。図５乃至図８参照］を利用する。座面５の横軸３への取り付けは、図３及び図４に示すように、取り付け部材９（例えば、ピンタッカー）により、横軸３（第１の横軸３１、第２の横軸３２）により、取り付けられている。
なお、図３及び図４に示すように、座面５の一方の側のみ取り付け部材９を示しているが、座面５の他方の側も、図３及び図４と同様、取り付け部材で横軸３（第１の横軸３１）に取り付けられている。
【００２０】
その結果、座面５は、使用済みのランドセルから分離したかぶせを切断することなく、かぶせそのものを使用するため、ランドセルの思い入れを再利用する形で保持することができ、しかも、従来のようにかぶせを小さく切断する加工が必要でなく、加えて、使用済みのランドセルのかぶせには、ぜいたくな革が使用されているため、革の素材を生かした高級感の折りたたみ椅子Ｃを得ることができる。
特に、使用済みのランドセルのかぶせの端部にはステッチが形成され、前記かぶせの端部の長手方向が横軸３（第１の横軸３１、第２の横軸３２）に直交するように取り付けると、革の素材を生かした高級感の折りたたみ椅子Ｃを得ることができる。
【００２１】
図３及び図４に示す取り付け部材９（例えば、ピンタッカー）に変えて、図９及び図１０に示す取り付け部材９、例えば、ステーブルタッカーでも良く、また、図１１及び図１２に示す取り付け部材９、例えば、釘でも良く、また、図１３及び図１４に示す取り付け部材９、例えば、木ネジでも良く、また、図１５及び図１６に示す取り付け部材９、例えば、鋲でも良く、また、図１７及び図１８に示す取り付け部材９、例えば、オニメとボルトを組み合わせても良く、また、図１９及び図２０に示す取り付け部材９、例えば、袋ナットとボルトを組み合わせても良く、また、図２１及び図２２に示す取り付け部材９、例えば、丸ナットとボルトを組み合わせても良く、また、図２３及び図２４に示す取り付け部材９、例えば、六角ナットとボルトを組み合わせても良く、また、図３及び図４に示す取り付け部材９は、横軸３（第１の横軸３１、第２の横軸３２）の頂面に変えて、図２５及び図２６、図２７及び図２８、図２９及び図３０、図３１及び図３２、図３３及び図３４、図３５及び図３６、図３７及び図３８、図３９及び図４０、図４１及び図４２に示すように、横軸３（第１の横軸３１、第２の横軸３２）の頂面を乗り越えた側面に取り付けても良く、また、図２５乃至図４２に示す取り付け部材９は、横軸３（第１の横軸３１、第２の横軸３２）の側面に変えて、図４３及び図４４、図４５及び図４６、図４７及び図４８、図４９及び図５０、図５１及び図５２、図５３及び図５４、図５５及び図５６、図５７及び図５８、図５９及び図６０に示すように、座面５の端部を折り返すようにして、横軸３（第１の横軸３１、第２の横軸３２）の底面に取り付けても良い。なお、図４３乃至図６０においては、座面５の一方の端部のみ示したが、座面５の他方の端部も、図示しないが、座面５の一方の端部と同様に、折り返すようにして、横軸３（第１の横軸３１、第２の横軸３２）の底面に取り付けても良い。
【００２２】
次に示す実施例は、座面５を強固に保つことができる折りたたみ椅子Ｃについて説明する(図６１乃至図６６)。
即ち、Ｘ字状の一対の脚部１、２は、Ｘ字状の第１の脚部１とＸ字状の第２の脚部２とを有し、Ｘ字状の第１の脚部１は、第１の脚１１と第１’の脚１１’であり、Ｘ字状の第２の脚部２は、第２の脚２１と第２’の脚２１’である。
【００２３】
横軸３は、第１の横軸３１と第２の横軸３２であり、第１の横軸３１は、第１の脚１１と第２の脚２１に接続され、第２の横軸３２は、第１’の脚１１’と第２’の脚２１’に接続され、また、横軸３の下方には、下方横軸４が設けられ、下方横軸４は、第１の下方横軸４１と第２の下方横軸４２であり、第１の下方横軸４１は、第１の脚１１と第２の脚２１に接続され、第２の下方横軸４２は、第１’の脚１１’と第２’の脚２１’に接続されている。
そして、第１の横軸３１（例えば、第１の横軸３１の裏面）に対向して第１の補強部材６が、第２の横軸３２（例えば、第１の横軸３１の裏面）に対向して第２の補強部材７が位置している。  
【００２４】
座面５は、上述の実施例と同様、使用済みのランドセルのぶせ（冠）［冠は、ランドセルの収納部を被せる蓋の部分である。座面５の一方５Ｘは、第１の横軸３１と第１の補強部材６で挟持され、座面５の他方５Ｙは、第２の横軸３２と第２の補強部材７で挟持される。そのため、保持力を強固に保つことができる。
詳述すれば、座面５の一方５Ｘは、第１の横軸３１を覆うように折り返され、第１の横軸３１と第１の補強部材６で挟持され、座面５の他方５Ｙは、第２の横軸３２を覆うように折り返され、第２の横軸３２と第２の補強部材７で挟持される。
その結果、座面５の取付取り外しが容易で、しかも、座面５の一方５Ｘを第１の横軸３１と第１の補強部材６の面で、座面５の他方５Ｙを第２の横軸３２と第２の補強部材７の面で、それぞれ挟持して保持力を強固に保つことができる（図６１〜図６２、図６５、図６６）。
なお、挟持手段としては、例えば、第１の横軸３１と第１の補強部材６は、座面５を介して、取り付け部材（例えば、第１のネジ８）で挟持され（図６５及び図６６参照）、第２の横軸３２と第２の裏面側部材７は、座面５を介して、取り付け部材（例えば、第２のネジ９）で挟持される。
また、図６１に示すように、使用済みのランドセルのかぶせの端部にはステッチが形成され、かぶせの端部の長手方向が横軸３（第１の横軸３１、第２の横軸３２）に直交している。そのため、使用済みのランドセルのかぶせの革の素材を生かした高級感の折りたたみ椅子Ｃを得ることができる。
【００２５】
また、図６５及び図６６に示す取り付け部材８、９（例えば、ネジ）に変えて、図６７及び図６８に示す取り付け部材、例えば、ピンタッカーでも良く、また、図６９及び図７０に示す取り付け部材、例えば、ステーブルタッカーでも良く、また、図７１及び図７２に示す取り付け部材、例えば、釘でも良く、また、図７３及び図７４に示す取り付け部材、例えば、木ねじでも良く、また、図７５及び図７６に示す取り付け部材、例えば、鋲でも良く、また、図７７及び図７８に示す取り付け部材、例えば、オニメとボルトを組み合わせても良く、また、図７９及び図８０に示す取り付け部材、例えば、袋ナットとボルトを組み合わせても良く（取り付け部材９は、第２の横軸３２と第２の補強部材７を貫通して取り付けられている。第１の横軸３１と第１の補強部材６も、第２の横軸３２と第２の補強部材７と同様に、取り付け部材により、貫通して取り付けられている。）、また、図８１及び図８２に示す取り付け部材、例えば、丸ナットとボルトを組み合わせても良く、また、図８３及び図８４に示す取り付け部材、例えば、六角ナットとボルトを組み合わせても良く（取り付け部材９は、第２の横軸３２と第２の補強部材７を貫通して取り付けられている。第１の横軸３１と第１の補強部材６も、第２の横軸３２と第２の補強部材７と同様に、取り付け部材８により、貫通して取り付けられている。）、 また、図６１乃至図６６においては、座面５の他方５Ｙは、第１の横軸３１を覆うように折り返され、第１の横軸３１と第１の補強部材６で挟持され、座面５の他方５Ｙは、第２の横軸３２を覆うように折り返され、第２の横軸３２と第２の補強部材７で挟持されたが、図８５及び図８６、図８７及び図８８、図８９及び図９０、図９１及び図９２、図９３及び図９４、図９５及び図９６、図９７及び図９８、図９９及び図１００、図１０１及び図１０２のように、折り返さないで、座面５の他方５Ｙを第２の横軸３２と第２の横軸３２（第２の横軸３２の頂面）に対向する第２の補強部材７で挟持して［図示しないが、座面５の他方５Ｙを第１の横軸３１と第１の横軸３１（第１の横軸３１の頂面）に対向する第１の補強部材６で挟持］しても良い。
【００２６】
また、図１０３及び図１０４、図１０５及び図１０６、図１０７及び図１０８、図１０９及び図１１０、図１１１及び図１１２、図１１３及び図１１４、図１１５及び図１１６、図１１７及び図１１８、図１１９及び図１２０のように、折り返さないで、座面５の他方５Ｙを第２の横軸３２と第２の横軸３２（第２の横軸３２の頂面を乗り越えた側面）に対向する第２の補強部材７で挟持して［図示しないが、座面５の他方５Ｙを第１の横軸３１と第１の横軸３１（第１の横軸３１の頂面を乗り越えた側面）に対向する第１の補強部材６で挟持］しても良い。
【００２７】
また、座面５の横軸３（第１の横軸３１、第２の横軸３２）への取り付けは、ネジ、ピンタッカー、ステーブルタッカー、釘、木ねじ、鋲、オニメとボルトを組み合わせたものに限らず、図１２１に示すように、座面５の端部を折り返して筒状に縫製し、該筒状内に横軸３（第１の横軸３１、第２の横軸３２）を位置させて、座面５を横軸３（第１の横軸３１、第２の横軸３２）へ取り付けるようにしても良い。
【００２８】
また、座面５のランドセルのかぶせの伸縮性が大きい場合には、図１２３及び図１２４に示すように、ランドセルのかぶせ５１の裏面にランドセルのかぶせ５１より伸縮性が小さい座面補強部材５２（例えば、平織りで織られた厚手の布で、綿や麻や亜麻で作られる帆布）を設けて、座面５をランドセルのかぶせ５１と座面補強部材５２の複数層で形成しても良い。
【００２９】
即ち、ランドセルのかぶせ５１と座面補強部材５２の複数層の一方を第１の横軸３１に、ランドセルのかぶせ５１と座面補強部材５２の複数層の他方を第２の横軸３２に、それぞれ取り付けるようにして、座面５のたるみを防止するようにしても良い。
【００３０】
なお、上述した第１の横軸３１、この第１の横軸３１に対向して第１の補強部材６で座面５の一方を、第２の横軸３２、この第２の横軸３２に対向して第２の補強部材７で座面５の他方を、それぞれ挟持したが、図１２５に示すように、挟持する際、第１の横軸３１に突起Ｔ、第１の補強部材６に突起Ｔを受ける凹部Ｈ （逆に、第１の補強部材６に突起Ｔ、第１の横軸３１に突起Ｔを受ける凹部Ｈを設けても良い。） 、第２の横軸３２に突起Ｔ、第２の補強部材７に突起Ｔを受ける凹部Ｈ （逆に、第２の補強部材７に突起Ｔ、第２の横軸３２に突起Ｔを受ける凹部Ｈを設けても良い。） を設けて、座面５の保持力を更に強固に保つようにしても良い。
【符号の説明】
【００３１】
Ｃ        折りたたみ椅子
１、２    Ｘ字状の一対の脚部
３        横軸
３１      第１の横軸
３２      第２の横軸
５        座面
６        第１の補強部材
７        第２の補強部材
【図１】
2020099575.tif 000003
【図２】
2020099575.tif 000004
【図３】
2020099575.tif 000005
【図４】
2020099575.tif 000006
【図５】
2020099575.tif 000007
【図６】
2020099575.tif 000008
【図７】
2020099575.tif 000009
【図８】
2020099575.tif 000010
【図９】
2020099575.tif 000011
【図１０】
2020099575.tif 000012
【図１１】
2020099575.tif 000013
【図１２】
2020099575.tif 000014
【図１３】
2020099575.tif 000015
【図１４】
2020099575.tif 000016
【図１５】
2020099575.tif 000017
【図１６】
2020099575.tif 000018
【図１７】
2020099575.tif 000019
【図１８】
2020099575.tif 000020
【図１９】
2020099575.tif 000021
【図２０】
2020099575.tif 000022
【図２１】
2020099575.tif 000023
【図２２】
2020099575.tif 000024
【図２３】
2020099575.tif 000025
【図２４】
2020099575.tif 000026
【図２５】
2020099575.tif 000027
【図２６】
2020099575.tif 000028
【図２７】
2020099575.tif 000029
【図２８】
2020099575.tif 000030
【図２９】
2020099575.tif 000031
【図３０】
2020099575.tif 000032
【図３１】
2020099575.tif 000033
【図３２】
2020099575.tif 000034
【図３３】
2020099575.tif 000035
【図３４】
2020099575.tif 000036
【図３５】
2020099575.tif 000037
【図３６】
2020099575.tif 000038
【図３７】
2020099575.tif 000039
【図３８】
2020099575.tif 000040
【図３９】
2020099575.tif 000041
【図４０】
2020099575.tif 000042
【図４１】
2020099575.tif 000043
【図４２】
2020099575.tif 000044
【図４３】
2020099575.tif 000045
【図４４】
2020099575.tif 000046
【図４５】
2020099575.tif 000047
【図４６】
2020099575.tif 000048
【図４７】
2020099575.tif 000049
【図４８】
2020099575.tif 000050
【図４９】
2020099575.tif 000051
【図５０】
2020099575.tif 000052
【図５１】
2020099575.tif 000053
【図５２】
2020099575.tif 000054
【図５３】
2020099575.tif 000055
【図５４】
2020099575.tif 000056
【図５５】
2020099575.tif 000057
【図５６】
2020099575.tif 000058
【図５７】
2020099575.tif 000059
【図５８】
2020099575.tif 000060
【図５９】
2020099575.tif 000061
【図６０】
2020099575.tif 000062
【図６１】
2020099575.tif 000063
【図６２】
2020099575.tif 000064
【図６３】
2020099575.tif 000065
【図６４】
2020099575.tif 000066
【図６５】
2020099575.tif 000067
【図６６】
2020099575.tif 000068
【図６７】
2020099575.tif 000069
【図６８】
2020099575.tif 000070
【図６９】
2020099575.tif 000071
【図７０】
2020099575.tif 000072
【図７１】
2020099575.tif 000073
【図７２】
2020099575.tif 000074
【図７３】
2020099575.tif 000075
【図７４】
2020099575.tif 000076
【図７５】
2020099575.tif 000077
【図７６】
2020099575.tif 000078
【図７７】
2020099575.tif 000079
【図７８】
2020099575.tif 000080
【図７９】
2020099575.tif 000081
【図８０】
2020099575.tif 000082
【図８１】
2020099575.tif 000083
【図８２】
2020099575.tif 000084
【図８３】
2020099575.tif 000085
【図８４】
2020099575.tif 000086
【図８５】
2020099575.tif 000087
【図８６】
2020099575.tif 000088
【図８７】
2020099575.tif 000089
【図８８】
2020099575.tif 000090
【図８９】
2020099575.tif 000091
【図９０】
2020099575.tif 000092
【図９１】
2020099575.tif 000093
【図９２】
2020099575.tif 000094
【図９３】
2020099575.tif 000095
【図９４】
2020099575.tif 000096
【図９５】
2020099575.tif 000097
【図９６】
2020099575.tif 000098
【図９７】
2020099575.tif 000099
【図９８】
2020099575.tif 000100
【図９９】
2020099575.tif 000101
【図１００】
2020099575.tif 000102
【図１０１】
2020099575.tif 000103
【図１０２】
2020099575.tif 000104
【図１０３】
2020099575.tif 000105
【図１０４】
2020099575.tif 000106
【図１０５】
2020099575.tif 000107
【図１０６】
2020099575.tif 000108
【図１０７】
2020099575.tif 000109
【図１０８】
2020099575.tif 000110
【図１０９】
2020099575.tif 000111
【図１１０】
2020099575.tif 000112
【図１１１】
2020099575.tif 000113
【図１１２】
2020099575.tif 000114
【図１１３】
2020099575.tif 000115
【図１１４】
2020099575.tif 000116
【図１１５】
2020099575.tif 000117
【図１１６】
2020099575.tif 000118
【図１１７】
2020099575.tif 000119
【図１１８】
2020099575.tif 000120
【図１１９】
2020099575.tif 000121
【図１２０】
2020099575.tif 000122
【図１２１】
2020099575.tif 000123
【図１２２】
2020099575.tif 000124
【図１２３】
2020099575.tif 000125
【図１２４】
2020099575.tif 000126
【図１２５】
2020099575.tif 000127